(57)【要約】【課題】印字媒体であるテープの排出ずれを抑えたテープカセットとテープ印字装置を提供すること。【解決手段】テープ印字装置のカセット装着部にテープカセット１Ａ，１Ｂが装着された際に、テープ印字装置のカセット装着部の底面１０６に突設されている支持受け用部材１３１がテープカセット１Ａ，１Ｂの支持受け面３１Ａ，３１Ｂに対して下方向から突き当たる。これによって、テープカセット１Ａ，１Ｂのアーム部５１Ａ，５１Ｂの先端部分に設けられている排出口５２Ａ，５２Ｂの位置が固定され、印字時には、そのように位置が下方向から固定された排出口５２Ａ，５２Ｂから印字媒体であるテープ３Ａ，３Ｂが排出される。【選択図】図５
2011046089.tif 000002
【特許請求の範囲】
【請求項１】
カセット装着部に印字ヘッドを備えたテープ印字装置に着脱自在なテープカセットであって、カセットケース本体と、前記カセットケース本体内に収納される、印字媒体であるテープと、前記カセットケース本体の側面又は底面に設けられた複数の位置決め部と、当該テープカセットが前記カセット装着部に装着された場合に前記印字ヘッドが挿入される空間であって、前記カセットケース本体を上下方向に貫通し、且つ、当該テープカセットの前面に沿って伸びるヘッド挿入部と、前記カセットケース本体の側面に突設されるとともに前記ヘッド挿入部に向けて開口する排出口を先端部分に有し、前記テープを前記排出口から前記ヘッド挿入部に向けて排出するアーム部と、を有し、テープ印字装置のカセット装着部に突設された複数の位置決め用部材が前記複数の位置決め部に対してそれぞれ下方向から突き当たることによって、前記テープ印字装置のカセット装着部に装着され、前記アーム部が片持ち梁状態となるテープカセットにおいて、
前記アーム部の先端部分の側面に設けられた支持受け面を備え、
前記テープ印字装置のカセット装着部に装着された際に、前記テープ印字装置のカセット装着部に突設された支持受け用部材が前記支持受け面に対して下方向から突き当たることによって、前記アーム部の先端部分に設けられた前記排出口の位置が固定されること、を特徴とするテープカセット。
【請求項２】
請求項１に記載のテープカセットであって、
前記アーム部の先端部分の側面において平面視で前記支持受け面と重なる位置に設けられた押下受け面を備え、
前記テープ印字装置のカセット装着部に装着された際に、前記テープ印字装置の蓋部に突設された押下受け用部材が前記押下受け面に対して上方向から突き当たることによって、前記アーム部の先端部分に設けられた前記排出口の位置が固定されること、を特徴とするテープカセット。
【請求項３】
請求項１又は請求項２に記載するテープカセットであって、
当該テープカセットには前記カセットケース本体に収納される前記テープの幅に応じて前記カセットケース本体の上下方向高さの異なる複数種類のテープカセットがあり、
前記支持受け面と前記テープの上下方向中心位置との距離である第１距離は、前記カセットケース本体の上下方向高さにかかわらず一定であること、を特徴とするテープカセット。
【請求項４】
請求項３に記載するテープカセットであって、
前記押下受け面と前記テープの上下方向中心位置との距離である第２距離は、前記カセットケース本体の上下方向高さにかかわらず一定であり、前記第１距離と前記第２距離とは等しいこと、を特徴とするテープカセット。
【請求項５】
請求項１又は請求項３に記載のテープカセットが着脱可能なカセット装着部と、前記カセット装着部に突設された複数の位置決め用部材と、前記カセット装着部に備えられた印字ヘッドとを有し、前記テープカセットの位置決め部に対して前記位置決め用部材が下方向から突き当たることによって、前記テープカセットが前記カセット装着部に装着され、前記テープカセットのアーム部が片持ち梁状態となるテープ印字装置において、
前記カセット装着部に突設された支持受け用部材を備え、
前記テープカセットが前記カセット装着部に装着された際に、前記テープカセットの支持受け面に対して前記支持受け用部材が下方向から突き当たることによって、前記テープカセットの前記アーム部の先端部分に設けられた排出口の位置が固定されること、を特徴とするテープ印字装置。
【請求項６】
請求項２又は請求項４に記載のテープカセットが着脱可能なカセット装着部と、前記カセット装着部に突設された複数の位置決め用部材と、前記カセット装着部に備えられた印字ヘッドと、前記カセット装着部を覆う開閉可能な蓋部と、を有し、前記テープカセットの位置決め部に対して前記位置決め用部材が下方向から突き当たることによって、前記テープカセットが前記カセット装着部に装着され、前記テープカセットのアーム部が片持ち梁状態となるテープ印字装置において、
前記カセット装着部に突設された支持受け用部材と、
前記蓋部に突設された押下受け用部材と、を備え、
前記テープカセットが前記カセット装着部に装着された際に、前記テープカセットの支持受け面に対して前記支持受け用部材が下方向から突き当たるとともに、前記テープカセットの押下受け面に対して前記押下受け用部材が上方向から突き当たることによって、前記テープカセットの前記アーム部の先端部分に設けられた排出口の位置が固定されること、を特徴とするテープ印字装置。
【請求項７】
請求項１又は請求項３に記載のテープカセットと、当該テープカセットが着脱可能なカセット装着部と、前記カセット装着部に突設された複数の位置決め用部材と、前記カセット装着部に備えられた印字ヘッドと、を有し、当該テープカセットの位置決め部に対して前記位置決め用部材が下方向から突き当たることによって、当該テープカセットが前記カセット装着部に装着され、当該テープカセットのアーム部が片持ち梁状態となるテープ印字装置において、
前記カセット装着部に突設された支持受け用部材を備え、
当該テープカセットが前記カセット装着部に装着された際に、当該テープカセットの支持受け面に対して前記支持受け用部材が下方向から突き当たることによって、当該テープカセットの前記アーム部の先端部分に設けられた排出口の位置が固定されること、を特徴とするテープ印字装置。
【請求項８】
請求項２又は請求項４に記載のテープカセットと、当該テープカセットが着脱可能なカセット装着部と、前記カセット装着部に突設された複数の位置決め用部材と、前記カセット装着部に備えられた印字ヘッドと、前記カセット装着部を覆う開閉可能な蓋部と、を有し、当該テープカセットの位置決め部に対して前記位置決め用部材が下方向から突き当たることによって、当該テープカセットが前記カセット装着部に装着され、当該テープカセットのアーム部が片持ち梁状態となるテープ印字装置において、
前記カセット装着部に突設された支持受け用部材と、
前記蓋部に突設された押下受け用部材と、を備え、
当該テープカセットが前記カセット装着部に装着された際に、当該テープカセットの支持受け面に対して前記支持受け用部材が下方向から突き当たるとともに、当該テープカセットの押下受け面に対して前記押下受け用部材が上方向から突き当たることによって、当該テープカセットの前記アーム部の先端部分に設けられた排出口の位置が固定されること、を特徴とするテープ印字装置。
【発明の詳細な説明】
【技術分野】
【０００１】
本発明は、ラベル作成に使用されるテープカセットとテープ印字装置に関するものである。
【背景技術】
【０００２】
従来より、テープ印字装置に装着されるテープカセットには、例えば、下記特許文献１に記載されているような「アーム通路」が設けられている。
【０００３】
そして、テープカセットを装着したテープ印字装置が印字状態になると、「アーム通路」の先端部分からは、テープカセット内のテープ（印字媒体）がテープ印字装置の印字ヘッドに向けて排出される。
【先行技術文献】
【特許文献】
【０００４】
【特許文献１】特開平４−３７５７５号公報（第１−３図）
【発明の概要】
【発明が解決しようとする課題】
【０００５】
しかしながら、「アーム通路」は、テープカセットがテープ印字装置に装着された場合には、片持ち梁のような状態になっている。従って、テープカセットがテープ印字装置に正しく装着されていても、「アーム通路」の変形具合によっては、「アーム通路」の先端部分から排出されたテープ（印字媒体）に位置ずれが生じ、印字精度などの品質に影響を与えることがあった。
【０００６】
特に、テープカセットは、テープ（印字媒体）を収納するために、２分割成形された上下のカセットケースを接合することによって製造されることから、その製造過程から生じた反りなどによって、「アーム通路」が当初から多少変形している可能性が全くない訳ではない。
【０００７】
そこで、本発明は、上述した点を鑑みてなされたものであり、印字媒体であるテープの排出ずれを抑えたテープカセットとテープ印字装置を提供することを課題とする。
【課題を解決するための手段】
【０００８】
この課題を解決するためになされた請求項１に係る発明は、カセット装着部に印字ヘッドを備えたテープ印字装置に着脱自在なテープカセットであって、カセットケース本体と、前記カセットケース本体内に収納される、印字媒体であるテープと、前記カセットケース本体の側面又は底面に設けられた複数の位置決め部と、当該テープカセットが前記カセット装着部に装着された場合に前記印字ヘッドが挿入される空間であって、前記カセットケース本体を上下方向に貫通し、且つ、当該テープカセットの前面に沿って伸びるヘッド挿入部と、前記カセットケース本体の側面に突設されるとともに前記ヘッド挿入部に向けて開口する排出口を先端部分に有し、前記テープを前記排出口から前記ヘッド挿入部に向けて排出するアーム部と、を有し、テープ印字装置のカセット装着部に突設された複数の位置決め用部材が前記複数の位置決め部に対してそれぞれ下方向から突き当たることによって、前記テープ印字装置のカセット装着部に装着され、前記アーム部が片持ち梁状態となるテープカセットにおいて、前記アーム部の先端部分の側面に設けられた支持受け面を備え、前記テープ印字装置のカセット装着部に装着された際に、前記テープ印字装置のカセット装着部に突設された支持受け用部材が前記支持受け面に対して下方向から突き当たることによって、前記アーム部の先端部分に設けられた前記排出口の位置が固定されること、を特徴とする。
【０００９】
また、請求項２に係る発明は、請求項１に記載のテープカセットであって、前記アーム部の先端部分の側面において平面視で前記支持受け面と重なる位置に設けられた押下受け面を備え、前記テープ印字装置のカセット装着部に装着された際に、前記テープ印字装置の蓋部に突設された押下受け用部材が前記押下受け面に対して上方向から突き当たることによって、前記アーム部の先端部分に設けられた前記排出口の位置が固定されること、を特徴とする。
【００１０】
また、請求項３に係る発明は、請求項１又は請求項２に記載するテープカセットであって、当該テープカセットには前記カセットケース本体に収納される前記テープの幅に応じて前記カセットケース本体の上下方向高さの異なる複数種類のテープカセットがあり、前記支持受け面と前記テープの上下方向中心位置との距離である第１距離は、前記カセットケース本体の上下方向高さにかかわらず一定であること、を特徴とする。
【００１１】
また、請求項４に係る発明は、請求項３に記載するテープカセットであって、前記押下受け面と前記テープの上下方向中心位置との距離である第２距離は、前記カセットケース本体の上下方向高さにかかわらず一定であり、前記第１距離と前記第２距離とは等しいこと、を特徴とする。
【００１２】
また、請求項５に係る発明は、請求項１又は請求項３に記載のテープカセットが着脱可能なカセット装着部と、前記カセット装着部に突設された複数の位置決め用部材と、前記カセット装着部に備えられた印字ヘッドとを有し、前記テープカセットの位置決め部に対して前記位置決め用部材が下方向から突き当たることによって、前記テープカセットが前記カセット装着部に装着され、前記テープカセットのアーム部が片持ち梁状態となるテープ印字装置において、前記カセット装着部に突設された支持受け用部材を備え、前記テープカセットが前記カセット装着部に装着された際に、前記テープカセットの支持受け面に対して前記支持受け用部材が下方向から突き当たることによって、前記テープカセットの前記アーム部の先端部分に設けられた排出口の位置が固定されること、を特徴とする。
【００１３】
また、請求項６に係る発明は、請求項２又は請求項４に記載のテープカセットが着脱可能なカセット装着部と、前記カセット装着部に突設された複数の位置決め用部材と、前記カセット装着部に備えられた印字ヘッドと、前記カセット装着部を覆う開閉可能な蓋部と、を有し、前記テープカセットの位置決め部に対して前記位置決め用部材が下方向から突き当たることによって、前記テープカセットが前記カセット装着部に装着され、前記テープカセットのアーム部が片持ち梁状態となるテープ印字装置において、前記カセット装着部に突設された支持受け用部材と、前記蓋部に突設された押下受け用部材と、を備え、前記テープカセットが前記カセット装着部に装着された際に、前記テープカセットの支持受け面に対して前記支持受け用部材が下方向から突き当たるとともに、前記テープカセットの押下受け面に対して前記押下受け用部材が上方向から突き当たることによって、前記テープカセットの前記アーム部の先端部分に設けられた排出口の位置が固定されること、を特徴とする。
【００１４】
また、請求項７に係る発明は、請求項１又は請求項３に記載のテープカセットと、当該テープカセットが着脱可能なカセット装着部と、前記カセット装着部に突設された複数の位置決め用部材と、前記カセット装着部に備えられた印字ヘッドと、を有し、当該テープカセットの位置決め部に対して前記位置決め用部材が下方向から突き当たることによって、当該テープカセットが前記カセット装着部に装着され、当該テープカセットのアーム部が片持ち梁状態となるテープ印字装置において、前記カセット装着部に突設された支持受け用部材を備え、当該テープカセットが前記カセット装着部に装着された際に、当該テープカセットの支持受け面に対して前記支持受け用部材が下方向から突き当たることによって、当該テープカセットの前記アーム部の先端部分に設けられた排出口の位置が固定されること、を特徴とする。
【００１５】
また、請求項８に係る発明は、請求項２又は請求項４に記載のテープカセットと、当該テープカセットが着脱可能なカセット装着部と、前記カセット装着部に突設された複数の位置決め用部材と、前記カセット装着部に備えられた印字ヘッドと、前記カセット装着部を覆う開閉可能な蓋部と、を有し、当該テープカセットの位置決め部に対して前記位置決め用部材が下方向から突き当たることによって、当該テープカセットが前記カセット装着部に装着され、当該テープカセットのアーム部が片持ち梁状態となるテープ印字装置において、前記カセット装着部に突設された支持受け用部材と、前記蓋部に突設された押下受け用部材と、を備え、当該テープカセットが前記カセット装着部に装着された際に、当該テープカセットの支持受け面に対して前記支持受け用部材が下方向から突き当たるとともに、当該テープカセットの押下受け面に対して前記押下受け用部材が上方向から突き当たることによって、当該テープカセットの前記アーム部の先端部分に設けられた排出口の位置が固定されること、を特徴とする。
【発明の効果】
【００１６】
すなわち、本発明のテープカセットとテープ印字装置では、テープ印字装置のカセット装着部にテープカセットが装着された際に、テープ印字装置のカセット装着部に突設されている支持受け用部材がテープカセットの支持受け面に対して下方向から突き当たることによって、テープカセットのアーム部の先端部分に設けられている排出口の位置が固定され、そのように位置が下方向から固定された排出口から印字媒体であるテープが排出されるので、印字媒体であるテープの排出ずれを抑えることができる。
【００１７】
この点、テープ印字装置のカセット装着部にテープカセットが装着された際には、印字媒体であるテープは、テープカセットのヘッド挿入部に挿入されているテープ印字装置の印字ヘッドに向けて排出されることから、その排出ずれが抑えられることによって、印字精度の向上に資することができる。
【００１８】
加えて、本発明のテープカセットとテープ印字装置では、テープ印字装置のカセット装着部にテープカセットが装着された際に、テープ印字装置の蓋部に突設されている押下受け用部材がテープカセットの押下受け面に対して上方向から突き当たることによって、テープカセットのアーム部の先端部分に設けられている排出口の位置が固定され、そのように位置が上方向からも固定された排出口から印字媒体であるテープが排出されるので、印字媒体であるテープの排出ずれを一層抑えることができ、もって、印字精度の向上に一層資することができる。
【００１９】
また、本発明のテープカセットとテープ印字装置では、テープカセットの支持受け面とテープカセットのテープの上下方向中心位置との距離である第１距離が、カセットケース本体の上下方向高さ（テープの幅／テープカセットの種類）にかかわらず一定であれば、テープ印字装置のカセット装着部にテープカセットが装着された際には、カセットケース本体の上下方向高さ（テープの幅／テープカセットの種類）がいずれであっても、テープ印字装置のカセット装着部に突設されている支持受け用部材がテープカセットの支持受け面に対して下方向から突き当たり、テープカセットのアーム部の先端部分に設けられている排出口の位置が下方向から固定される。
【００２０】
加えて、本発明のテープカセットとテープ印字装置では、テープカセットの押下受け面とテープカセットのテープの上下方向中心位置との距離である第２距離が、カセットケース本体の上下方向高さ（テープの幅／テープカセットの種類）にかかわらず一定で、第１距離と第２距離とが等しければ、テープ印字装置のカセット装着部にテープカセットが装着された際には、カセットケース本体の上下方向高さ（テープの幅／テープカセットの種類）がいずれであっても、テープ印字装置の蓋部に突設されている押下受け用部材がテープカセットの押下受け面に対して上方向から突き当たり、テープカセットのアーム部の先端部分に設けられている排出口の位置が上方向からも固定される。
【図面の簡単な説明】
【００２１】
【図１】テープ印字装置の本体を示した平面図である。
【図２】テープ印字装置を示した斜視図である。
【図３】テープ印字装置の蓋部とテープカセットとを示した斜視図である。
【図４】テープカセットを示した平面図である。
【図５】テープカセットの支持受け面と押下受け面に対し、テープ印字装置の支持受け用部材と押下受け用部材とが当接した状態を示した図である。
【発明を実施するための形態】
【００２２】
以下、本発明の実施の形態を図面を参照にして説明する。図２は、テープ印字装置１０１を示した斜視図である。テープ印字装置１０１は、ラベルを作成する装置であって、本体１０２と、蓋部１０３とを有する。蓋部１０３は、本体１０２に対して回動自在に設けられている。
【００２３】
図１は、テープ印字装置１０１の本体１０２を示した平面図である。本体１０２には、底面１０６を有するカセット装着部１０５が設けられている。その底面１０６には、「位置決め用部材」に相当する４本の位置決めピン１１１，１１２，１１３，１１４が設けられ、リボン巻取軸１１５やテープ駆動カム１１６が設けられ、印字ヘッド１２１を搭載したヘッドホルダ１２２が設けられている。
【００２４】
さらに、支持受け用部材１３１がカセット装着部１０５の底面１０６に突設されている。支持受け用部材１３１は、断面が略Ｌ字の細長い突起物である。
【００２５】
図３は、テープ印字装置１０１の蓋部１０３とテープカセット１とを示した斜視図である。蓋部１０３の裏面１０４には、押下受け用部材１４１が突設されている。押下受け用部材１４１は、断面が略Ｌ字の細長い突起物である。
【００２６】
テープカセット１は、テープ印字装置１０１のカセット装着部１０５において、着けたり外したりすることが自在なように装着されることが可能である。図４は、テープカセット１を示した平面図である。図４（ａ）は、テープカセット１の上面を示した平面図である。テープカセット１の上面は、テープカセット１がテープ印字装置１０１のカセット装着部１０５に装着された際には、テープ印字装置１０１の蓋部１０３の裏面１０４に対向する。図４（ｂ）は、テープカセット１の下面を示した平面図である。テープカセット１の下面は、テープカセット１がテープ印字装置１０１のカセット装着部１０５に装着された際には、カセット装着部１０５の底面１０６に対向する。
【００２７】
すなわち、ここでは、テープ印字装置１０１のカセット装着部１０５に装着されたテープカセット１を基準として、テープ印字装置１０１の蓋部１０３が有する裏面１０４の方向を上方向とし、テープ印字装置１０１のカセット装着部１０５が有する底面１０６の方向を下方向とする。
【００２８】
テープカセット１は、カセットケース本体２を有する。カセットケース本体２の側面には、「位置決め部」に相当するピン受け面１１，１３が設けられている。カセットケース本体２の下面には、「位置決め部」に相当するピン孔１２，１４が設けられている。さらに、カセットケース本体２には、支持孔７１，７２が設けられている。
【００２９】
テープカセット１がテープ印字装置１０１のカセット装着部１０５に装着された際には、以下のようにして、テープカセット１の位置決めがなされる。すなわち、テープカセット１の側面に設けられているピン受け面１１，１３に対して、テープ印字装置１０１のカセット装着部１０５の底面１０６に設けられている位置決めピン１１１，１１３が当接する。テープカセット１の下面に設けられているピン孔１２，１４に対して、テープ印字装置１０１のカセット装着部１０５の底面１０６に設けられている位置決めピン１１２，１１４が挿嵌され当接する。さらに、テープカセット１の支持孔７１，７２に対して、テープ印字装置１０１のカセット装着部１０５の底面１０６に設けられているリボン巻取軸１１５とテープ駆動カム１１６が挿入される。
【００３０】
テープカセット１には、ヘッド挿入部２１が設けられている。ヘッド挿入部２１は、テープカセット１の前面（図４では、図面の下側側面）に沿って伸びており、カセットケース本体２を上下方向に貫通している。テープカセット１がテープ印字装置１０１のカセット装着部１０５に装着された際には、ヘッド挿入部２１において、テープ印字装置１０１のヘッドホルダ１２２が挿入され、ヘッドホルダ１２２に搭載の印字ヘッド１２１が介在する。
【００３１】
テープカセット１は、カセットケース本体２の側面（図４では、図面の下側側面）に突設されたアーム部５１を有する。アーム部５１は、テープカセット１がテープ印字装置１０１のカセット装着部１０５に装着された際には、カセット装着部１０５の底面１０６と離間し、それに加え、カセット装着部１０５の位置決めピン１１１，１１２，１１３，１１４のいずれとも当接しないことから、片持ち梁の状態になっている（下記図５参照）。
【００３２】
アーム部５１の先端部分には、ヘッド挿入部２１に向けて開口する排出口５２が設けられている。一方、テープカセット１は、カセットケース本体２の中に、印字媒体であるテープ３が収納されている。そして、テープカセット１がテープ印字装置１０１のカセット装着部１０５に装着された際には、印字時になると、テープ３は、アーム部５１の排出口５２からヘッド挿入部２１に排出され、ヘッド挿入部２１に介在する印字ヘッド１２１に送られる。
【００３３】
尚、テープカセット１のカセットケース本体２は、印字媒体であるテープ３を収納するために、上下方向に２分割して成形された上下のカセットケース４，５を接合することによって製造される。
【００３４】
また、テープカセット１では、アーム部５１の先端部分の側面において、構成する３つの面が垂直関係にあるコーナー溝が所定深さで形成されることによって、支持受け面３１が設けられている。それに加え、アーム部５１の先端部分の側面において、構成する３つの面が垂直関係にあるコーナー溝が所定深さで形成されることによって、押下受け面４１が設けられている。支持受け面３１と押下受け面４１は、平面視で重なる位置にある。さらに、支持受け面３１を設けるために形成されたコーナー溝と押下受け面４１を設けるために形成されたコーナー溝についても、それらが平面視で重なる位置にある。
【００３５】
そして、テープカセット１がテープ印字装置１０１のカセット装着部１０５に装着された際には、テープカセット１の支持受け面３１に対し、カセット装着部１０５の底面１０６に突設されている支持受け用部材１３１が当接する。さらに、テープ印字装置１０１の蓋部１０３が閉じられると、テープカセット１の押下受け面４１に対し、蓋部１０３の裏面１０４に突設されている押下受け用部材１４１が当接する（図３参照）。
【００３６】
図５は、テープカセット１の支持受け面３１と押下受け面４１に対し、テープ印字装置１０１の支持受け用部材１３１と押下受け用部材１４１とが当接した状態を示した図である。テープ印字装置１０１のカセット装着部１０５には、テープ３の幅が異なる複数種類のテープカセット１を装着されることが可能である。図５の左側にはテープ幅１２ｍｍであるテープカセット１の場合を示しており、図５の右側にはテープ幅２４ｍｍであるテープカセット１の場合を示している。尚、図５では、左側のテープカセット１のみに関する符号には「Ａ」を添付し、右側のテープカセット１のみに関する符号には「Ｂ」を添付している。
【００３７】
上述したように、図５の左側に示したテープカセット１Ａは、テープ幅ＴＡが１２ｍｍである。図５の右側に示したテープカセット１Ｂは、テープ幅ＴＢが２４ｍｍである。従って、図５の左側に示したテープカセット１Ａのカセットケース本体２Ａの上下方向高さＨＡと図５の右側に示したテープカセット１Ｂのカセットケース本体２Ｂの上下方向高さＨＢは異なるものになっている。
【００３８】
図５の左側に示したテープカセット１Ａでは、テープ３Ａの上下方向中心位置を示す中心線６１から支持受け面３１Ａまでの距離は第１距離ＭＡである。図５の右側に示したテープカセット１Ｂでは、テープ３Ｂの上下方向中心位置を示す中心線６１から支持受け面３１Ｂまでの距離は第１距離ＭＢである。そして、図５の左側に示したテープカセット１Ａの第１距離ＭＡと図５の右側に示したテープカセット１Ｂの第１距離ＭＢとは等しくされる。このように、テープ３の幅が異なるいずれの種類のテープカセット１においても、テープ３の上下方向中心位置を示す中心線６１から支持受け面３１までの距離は第１距離として等しく一定にされる。これにより、テープ３の幅が異なるいずれの種類のテープカセット１がテープ印字装置１０１のカセット装着部１０５に装着されても、テープカセット１の支持受け面３１に対し、テープ印字装置１０１の支持受け用部材１３１が当接することになる。
【００３９】
さらに、図５の左側に示したテープカセット１Ａでは、テープ３Ａの上下方向中心位置を示す中心線６１から押下受け面４１Ａまでの距離は第２距離ＮＡである。図５の右側に示したテープカセット１Ｂでは、テープ３Ｂの上下方向中心位置を示す中心線６１から押下受け面４１Ｂまでの距離は第２距離ＮＢである。そして、図５の左側に示したテープカセット１Ａの第２距離ＮＡと図５の右側に示したテープカセット１Ｂの第２距離ＮＢとは等しくされる。このように、テープ３の幅が異なるいずれの種類のテープカセット１においても、テープ３の上下方向中心位置を示す中心線６１から押下受け面４１までの距離は第２距離として等しく一定にされる。これにより、テープ３の幅が異なるいずれの種類のテープカセット１がテープ印字装置１０１のカセット装着部１０５に装着されても、テープ印字装置１０１の蓋部１０３が閉じれば、テープカセット１の押下受け面４１に対し、蓋部１０３の押下受け用部材１４１が当接することになる。
【００４０】
尚、図５の左側に示したテープカセット１Ａでは、テープ３Ａの上下方向中心位置を示す中心線６１からピン受け面１１Ａまでの距離は第１距離ＭＡと同じである。図５の右側に示したテープカセット１Ｂでは、テープ３Ｂの上下方向中心位置を示す中心線６１からピン受け面１１Ｂまでの距離は第１距離ＭＢと同じである。そして、上述したように、図５の左側に示したテープカセット１Ａの第１距離ＭＡと図５の右側に示したテープカセット１Ｂの第１距離ＭＢとは等しい。このようにして、テープ３の幅が異なるいずれの種類のテープカセット１においても、テープ３の上下方向中心位置を示す中心線６１からピン受け面１１までの距離は第１距離と等しく一定にされる。この点は、テープカセット１のピン受け面１３やピン孔１２，１４についても同様である。これによって、テープ印字装置１０１のカセット装着部１０５では、テープ３の幅が異なるいずれの種類のテープカセット１を装着させることが可能となる。
【００４１】
以上詳細に説明したように、本実施の形態に係るテープカセット１とテープ印字装置１０１では、テープ印字装置１０１のカセット装着部１０５にテープカセット１が装着された際に、テープ印字装置１０１のカセット装着部１０５の底面１０６に突設されている支持受け用部材１３１がテープカセット１の支持受け面３１に対して下方向から突き当たる。これによって、テープカセット１のアーム部５１の先端部分に設けられている排出口５２の位置が固定され、印字時には、そのように位置が下方向から固定された排出口５２から印字媒体であるテープ３が排出されるので、印字媒体であるテープ３の排出ずれを抑えることができる（図５参照）。
【００４２】
この点、テープ印字装置１０１のカセット装着部１０５にテープカセット１が装着された際には、印字媒体であるテープ３は、テープカセット１のヘッド挿入部２１に挿入されているテープ印字装置１０１の印字ヘッド１２１に向けて排出される。よって、その排出ずれが抑えられることによって、印字精度の向上に資することができる。
【００４３】
尚、本実施の形態に係るテープカセット１のカセットケース本体２は、印字媒体であるテープ３を収納するために、上下方向に２分割して成形された上下のカセットケース４，５を接合することによって製造される。従って、その製造過程から生じた反りなどによって、アーム部５１が当初から多少変形している可能性が全くない訳でもない。しかしながら、テープカセット１のアーム部５１の先端部分に設けられている排出口５２の位置は、テープ印字装置１０１のカセット装着部１０５にテープカセット１が装着された際には、上述したようにして矯正的に固定されることから、テープカセット１のアーム部５１が反りなどによって多少変形していている程度なら、その変形が印字精度に影響を与えることはない。
【００４４】
加えて、本実施の形態に係るテープカセット１とテープ印字装置１０１では、テープ印字装置１０１のカセット装着部１０５にテープカセット１が装着された際に、テープ印字装置１０１の蓋部１０３に突設されている押下受け用部材１４１がテープカセット１の押下受け面４１に対して上方向から突き当たる。これによって、テープカセット１のアーム部５１の先端部分に設けられている排出口５２の位置が固定され、そのように位置が上方向からも固定された排出口５２から印字媒体であるテープ３が排出されるので、印字媒体であるテープ３の排出ずれを一層抑えることができ、もって、印字精度の向上に一層資することができる（図３，図５参照）。
【００４５】
また、本実施の形態に係るテープカセット１とテープ印字装置１０１では、テープカセット１の支持受け面３１とテープカセット１のテープ３の上下方向中心位置を示す中心線６１との距離である第１距離が、カセットケース本体２の上下方向高さ（テープ３の幅／テープカセット１の種類）にかかわらず一定である。従って、テープ印字装置１０１のカセット装着部１０５にテープカセット１が装着された際には、カセットケース本体２の上下方向高さ（テープ３の幅／テープカセット１の種類）がいずれであっても、テープ印字装置１０１のカセット装着部１０５に突設されている支持受け用部材１３１がテープカセット１の支持受け面３１に対して下方向から突き当たり、テープカセット１のアーム部５１の先端部分に設けられている排出口５２の位置が下方向から固定される。
【００４６】
加えて、本実施の形態に係るテープカセット１とテープ印字装置１０１では、テープカセット１の押下受け面４１とテープカセット１のテープ３の上下方向中心位置を示す中心線６１との距離である第２距離が、カセットケース本体２の上下方向高さ（テープ３の幅／テープカセット１の種類）にかかわらず一定である。また、第１距離と第２距離とが等しい。従って、テープ印字装置１０１のカセット装着部１０５にテープカセット１が装着された際には、カセットケース本体２の上下方向高さ（テープ３の幅／テープカセット１の種類）がいずれであっても、テープ印字装置１０１の蓋部１０３に突設されている押下受け用部材１４１がテープカセット１の押下受け面４１に対して上方向から突き当たり、テープカセット１のアーム部５１の先端部分に設けられている排出口５２の位置が上方向からも固定される。
【００４７】
また、本実施の形態に係るテープカセット１とテープ印字装置１０１では、テープ印字装置１０１のカセット装着部１０５に突設されている支持受け用部材１３１がテープカセット１の支持受け面３１に対して下方向から突き当たると、支持受け面３１を設けるために形成されたコーナー溝に対して、断面が略Ｌ字の支持受け用部材１３１が密接する。さらに、テープ印字装置１０１のカセット装着部１０５に突設されている押下受け用部材１４１がテープカセット１の押下受け面４１に対して上方向から突き当たると、押下受け面４１を設けるために形成されたコーナー溝に対して、断面が略Ｌ字の押下受け用部材１４１が密接する。これにより、テープカセット１のアーム部５１の先端部分に設けられている排出口５２の位置が横方向（上下方向と垂直関係にある平面（テープ印字装置１０１のカセット装着部１０５の底面１０６））からも固定される。
【００４８】
尚、本発明は上記実施の形態に限定されるものでなく、その趣旨を逸脱しない範囲で様々な変更が可能である。
例えば、本実施の形態に係るテープカセット１は、印字がなされたフィルムテープに粘着テープが裏貼される「ラミネートテープ」用のものであってもよいし、テープ状のレセプタシートとテープ状のセパレータシートとが粘着剤により貼り付けられた「ノンラミネートテープ」用のものであってもよい。いずれのタイプであっても、テープ３の排出ずれが抑えられることによって、テープ同士の貼り付けのずれも抑えることが可能となる。
【産業上の利用可能性】
【００４９】
本発明は、印字媒体であるテープが排出する排出口の装着位置を矯正する技術に適用し得る。
【符号の説明】
【００５０】
１  テープカセット
２  カセットケース本体
３  テープ（印字媒体）
１１，１３  ピン受け面（位置決め部）
１２，１４  ピン孔（位置決め部）
２１  ヘッド挿入部
３１  支持受け面
４１  押下受け面
５１  アーム部
５２  排出口
６１  テープの上下方向中心位置を示す中心線
１０１  テープ印字装置
１０３  蓋部
１０５  カセット装着部
１１１，１１２，１１３，１１４  位置決めピン（位置決め用部材）
１２１  印字ヘッド
１３１  支持受け用部材
１４１  押下受け用部材
ＭＡ，ＭＢ  第１距離
ＮＡ，ＮＢ  第２距離
ＴＡ，ＴＢ  テープ幅
ＨＡ，ＨＢ  カセットケース本体の上下方向高さ
【図１】
2011046089.tif 000003
【図２】
2011046089.tif 000004
【図３】
2011046089.tif 000005
【図４】
2011046089.tif 000006
【図５】
2011046089.tif 000007